(57)【要約】      （修正有）【課題】変化に富んだ遊び方ができ、使い勝手がよい磁石式人形玩具を提供する。【解決手段】磁石式人形玩具１は、剛体からなる胴体部２と、胴体部２から延びる一対の脚部４と、胴体部２から延びる一対の腕部５と、一対の脚部４の先端部にそれぞれ取り付けられた足部６と、一対の腕部５の先端部にそれぞれ取り付けられた手部７と、を備える。一対の脚部４及び一対の腕部５は、変形可能なワイヤー部材８，９から構成されている。足部６は、磁石３２と、磁石３２が収容された収容部３５と、を有する。手部７は、磁石４２と、磁石４２が収容された収容部４５と、を有する。【選択図】図１
2020191942.tif 000002
【特許請求の範囲】
【請求項１】
剛体からなる胴体部と、
前記胴体部から延びる一対の脚部と、
前記胴体部から延びる一対の腕部と、
前記一対の脚部の先端部にそれぞれ取り付けられた足部と、
前記一対の腕部の先端部にそれぞれ取り付けられた手部と、を備え、
前記一対の脚部及び前記一対の腕部は、変形可能なワイヤー部材から構成され、
前記足部は、第１磁石と、前記第１磁石が収容された第１収容部と、を有し、
前記手部は、第２磁石と、前記第２磁石が収容された第２収容部と、を有する、磁石式人形玩具。
【請求項２】
前記一対の脚部は、前記胴体部を貫通する一本の第１ワイヤー部材により構成され、
前記第１ワイヤー部材は、前記胴体部内で屈曲された第１屈曲部を有し、
前記一対の腕部は、前記胴体部を貫通する一本の第２ワイヤー部材により構成され、
前記第２ワイヤー部材は、前記胴体部内で屈曲された第２屈曲部を有する、請求項１に記載の磁石式人形玩具。
【請求項３】
前記胴体部は、第１ワイヤー部材により貫通された第１貫通部と、前記第２ワイヤー部材により貫通された第２貫通部と、を有し、
前記第１貫通部及び前記第２貫通部は、前記胴体部の外面に向けて径が広くなる拡径面を有する、請求項２に記載の磁石式人形玩具。
【請求項４】
前記足部の外面は、前記脚部が取り付けられた第１取付面と、前記第１取付面と対向する第１対向面とをそれぞれ有し、
前記手部の外面は、前記腕部が取り付けられた第２取付面と、前記第２取付面と対向する第２対向面とをそれぞれ有し、
前記第１磁石は、前記第１対向面に沿って配置され、
前記第２磁石は、前記第２対向面に沿って配置されている、請求項１〜３のいずれか一項に記載の磁石式人形玩具。
【請求項５】
前記一対の脚部及び前記一対の腕部のそれぞれを構成する前記ワイヤー部材は、撚られた複数の芯材を含む、請求項１又は２に記載の磁石式人形玩具。
【請求項６】
前記一対の脚部及び前記一対の腕部のそれぞれを構成する前記ワイヤー部材は、前記複数の芯材を被覆する被覆部材を更に含み、
前記胴体部、前記足部及び前記手部は、前記被覆部材から露出している、請求項５に記載の磁石式人形玩具。
【請求項７】
前記足部は、前記脚部の先端部が挿入されている第１挿入部を更に有し、
前記第１挿入部は、前記足部の外面に向けて径が広くなる拡径面を有する、請求項１〜６のいずれか一項に記載の磁石式人形玩具。
【請求項８】
前記手部は、前記腕部の先端部が挿入されている第２挿入部を更に有し、
前記第２挿入部は、前記手部の外面に向けて径が広くなる拡径面を有する、請求項１〜７のいずれか一項に記載の磁石式人形玩具。
【発明の詳細な説明】
【技術分野】
【０００１】
本開示は、磁石式人形玩具に関する。
【背景技術】
【０００２】
従来、連結対象に磁気的に連結される磁石式プレート玩具が知育用玩具として知られている（例えば、特許文献１参照）。特許文献１に記載された磁石式プレート玩具は、多角形状のプレート部材を備えている。プレート部材の内部には、プレート部材の辺部に沿って磁石が設けられている。磁石式プレート玩具は、当該磁石の磁力を利用して他の磁石式プレート玩具に磁気的に連結される。このような磁石式プレート玩具によれば、遊びを通じて子供の創造力及び想像力を養うことが図られる。
【先行技術文献】
【特許文献】
【０００３】
【特許文献１】実用新案登録第３１６１６９８号公報
【発明の概要】
【発明が解決しようとする課題】
【０００４】
上述の磁石式プレート玩具を用いた遊びに広がりを持たせるため、磁石式プレート玩具に連結可能な磁石式人形玩具が考えられる。このような磁石式人形玩具では、変化に富んだ遊び方ができ、使い勝手がよいことが求められる。
【０００５】
本開示は、変化に富んだ遊び方ができ、使い勝手がよい磁石式人形玩具を提供する。
【課題を解決するための手段】
【０００６】
本開示の磁石式人形玩具は、剛体からなる胴体部と、胴体部から延びる一対の脚部と、胴体部から延びる一対の腕部と、一対の脚部の先端部にそれぞれ取り付けられた足部と、一対の腕部の先端部にそれぞれ取り付けられた手部と、を備え、一対の脚部及び一対の腕部は、変形可能なワイヤー部材から構成され、足部は、第１磁石と、第１磁石が収容された第１収容部と、を有し、手部は、第２磁石と、第２磁石が収容された第２収容部と、を有する。
【０００７】
この磁石式人形玩具では、足部が第１磁石を有し、手部が第２磁石を有している。このため、足部及び手部を磁石式プレート玩具に連結させることができる。また、脚部及び腕部は、変形可能なワイヤー部材から構成されている。このため、脚部及び腕部の向きや角度を自由に変えることができるので、変化に富んだ遊び方ができる。更に、一対の脚部及び一対の腕部は剛体からなる胴体部から延びている。このため、胴体部を保持することにより、脚部及び腕部を容易に変形させることができるので、使い勝手がよい。
【０００８】
一対の脚部は、胴体部を貫通する一本の第１ワイヤー部材により構成され、第１ワイヤー部材は、胴体部内で屈曲された第１屈曲部を有し、一対の腕部は、胴体部を貫通する一本の第２ワイヤー部材により構成され、第２ワイヤー部材は、胴体部内で屈曲された第２屈曲部を有してもよい。この場合、第１ワイヤー部材は胴体部内に第１屈曲部を有するので、第１ワイヤー部材が胴体部内で回転することが抑制されると共に、第１ワイヤー部材が軸方向に移動することが抑制される。第２ワイヤー部材は胴体部内に第１屈曲部を有するので、第２ワイヤー部材が胴体部内で回転することが抑制されると共に、第２ワイヤー部材が軸方向に移動することが抑制される。
【０００９】
胴体部は、第１ワイヤー部材により貫通された第１貫通部と、第２ワイヤー部材により貫通された第２貫通部と、を有し、第１貫通部及び第２貫通部は、胴体部の外面に向けて径が広くなる拡径面を有してもよい。この場合、第１ワイヤー部材が第１貫通部の両端部と接触して損傷を受けることが抑制される。また、第２ワイヤー部材が第２貫通部の両端部と接触して損傷を受けることが抑制される。
【００１０】
足部の外面は、脚部が取り付けられた第１取付面と、第１取付面と対向する第１対向面とをそれぞれ有し、手部の外面は、腕部が取り付けられた第２取付面と、第２取付面と対向する第２対向面とをそれぞれ有し、第１磁石は、第１対向面に沿って配置され、第２磁石は、第２対向面に沿って配置されてもよい。この場合、第１対向面及び第２対向面に磁石式プレート玩具を連結させることができる。
【００１１】
一対の脚部及び一対の腕部のそれぞれを構成するワイヤー部材は、撚られた複数の芯材を含んでもよい。この場合、ワイヤー部材の曲げ易さ及び耐久性を向上させることができる。
【００１２】
一対の脚部及び一対の腕部のそれぞれを構成するワイヤー部材は、複数の芯材を被覆する被覆部材を更に含み、胴体部、足部及び手部は、被覆部材から露出してもよい。この場合、被覆部材が磁石式人形玩具の全体を被覆している場合に比べて、脚部及び腕部を変形させたときの被覆部材に対する負荷が小さい。よって、被覆部材の損傷を抑制可能となる。
【００１３】
足部は、脚部の先端部が挿入されている第１挿入部を更に有し、第１挿入部は、足部の外面に向けて径が広くなる拡径面を有してもよい。この場合、脚部が第１挿入部と接触して損傷を受けることが抑制される。
【００１４】
手部は、腕部の先端部が挿入されている第２挿入部を更に有し、第２挿入部は、手部の外面に向けて径が広くなる拡径面を有してもよい。この場合、腕部が第２挿入部と接触して損傷を受けることが抑制される。
【発明の効果】
【００１５】
本開示によれば、変化に富んだ遊び方ができ、使い勝手がよい磁石式人形玩具を提供することができる。
【図面の簡単な説明】
【００１６】
【図１】実施形態に係る磁石式人形玩具を一部破断して示す正面図である。
【図２】図１の磁石式人形玩具を斜め後ろ側から見た斜視図である。
【図３】図１に示されるワイヤー部材について説明するための図である。
【図４】足部の固定部材及び嵌合部について説明するための図である。
【図５】手部の固定部材及び嵌合部について説明するための図である。
【図６】図１の磁石式人形玩具及び磁石式プレート玩具を示す正面図である。
【発明を実施するための形態】
【００１７】
以下、添付図面を参照して、本開示の実施形態について詳細に説明する。なお、以下の説明において、同一又は相当要素には同一符号を付し、重複する説明を省略する。
【００１８】
図１は、実施形態に係る磁石式人形玩具を一部破断して示す正面図である。図２は、図１の磁石式人形玩具を斜め後ろ側から見た斜視図である。図１及び図２に示される磁石式人形玩具１は、プレート部材の内部に磁石が配置された磁石式プレート玩具１００（図６参照）と連結させるための玩具である。磁石式人形玩具１及び磁石式プレート玩具１００は、遊びを通じて子供の創造力及び想像力を養うための知育用玩具である。
【００１９】
磁石式人形玩具１は、例えば、人間を模した形状を有し、胴体部２と、頭部３と、一対の脚部４と、一対の腕部５と、一対の足部６と、一対の手部７と、を備える。磁石式人形玩具１は、人間以外の動物を模した形状を有していてもよい。磁石式人形玩具１が犬又は猫等の四肢動物を模した形状を有している場合は、脚部４が後脚、腕部５が前脚、足部６が前足、手部７が前足となる。
【００２０】
胴体部２は、略直方体状を呈している。胴体部２は、その外面として、前面２ａと、後面２ｂと、一対の側面２ｃと、上面２ｄと、下面２ｅと、を有している。前面２ａ及び後面２ｂは、互いに対向している。一対の側面２ｃは、互いに対向している。上面２ｄ及び下面２ｅは、互いに対向している。
【００２１】
前面２ａと後面２ｂとの間の間隔は、例えば、１０ｍｍである。一対の側面２ｃの間の間隔は、例えば、１３ｍｍである。上面２ｄと下面２ｅとの間隔は、例えば、２３ｍｍである。
【００２２】
頭部３は、略球状を呈している。頭部３の直径は、例えば、１２ｍｍである。頭部３は、胴体部２の上面２ｄに配置されている。
【００２３】
胴体部２及び頭部３は、互いに一体的に形成されている。胴体部２及び頭部３は、例えば、樹脂の射出成形により互いに一体的に形成されている。胴体部２及び頭部３は、剛体からなる。胴体部２及び頭部３は、例えば、ＡＢＳ樹脂（アクリロニトリル−ブタジエン−スチレン共重合体）等の樹脂からなる。
【００２４】
胴体部２及び頭部３は、例えば、前部材２１及び後部材２２が互いに組み合わされて形成されている。前部材２１は、前面２ａの全体と、一対の側面２ｃの前半分と、上面２ｄの前半分と、下面２ｅの前半分と、頭部３の前半分と、を含んでいる。後部材２２は、後面２ｂの全体と、一対の側面２ｃの後半分と、上面２ｄの後半分と、下面２ｅの後半分と、頭部３の後半分と、を含んでいる。
【００２５】
前部材２１及び後部材２２は、ボルト１０によって結合されると共に、超音波溶着又は接着等によっても接合されて一体化されている。本実施形態では、前部材２１及び後部材２２は、２つのボルト１０によって結合されている。ボルト１０は、後部材２２側（後面２ｂ側）から挿通されている。ボルト１０の頭部は、後部材２２側（後面２ｂ側）に配置されている。
【００２６】
一対の脚部４は、胴体部２から延びている。各脚部４は、各側面２ｃの下部分（下面２ｅ側）から外方に延びている。一対の脚部４は、胴体部２を貫通する一本のワイヤー部材８により構成されている。換言すると、一対の脚部４は、一本のワイヤー部材８の一部分をそれぞれ構成している。ワイヤー部材８は、変形可能である。なお、一対の脚部４が一対のワイヤー部材から構成されていてもよい。
【００２７】
一対の腕部５は、胴体部２から延びている。各腕部５は、各側面２ｃの上部分（上面２ｄ側）から外方に延びている。一対の腕部５は、胴体部２を貫通する一本のワイヤー部材９により構成されている。換言すると、一対の腕部５は、一本のワイヤー部材９の一部分をそれぞれ構成している。ワイヤー部材９は、変形可能である。なお、一対の腕部５が一対のワイヤー部材から構成されていてもよい。
【００２８】
胴体部２は、ワイヤー部材８により貫通された貫通部１１と、ワイヤー部材９により貫通された貫通部１２と、を有している。貫通部１１，１２は、それぞれ一方の側面２ｃから他方の側面２ｃに至っている。貫通部１１は、胴体部２の下部分（下面２ｅ側）に設けられ、貫通部１２は、胴体部２の上部分（上面２ｄ側）に設けられている。貫通部１１，１２の両端部は、それぞれ湾曲したＲ形状を呈している。すなわち、貫通部１１は、一対の側面２ｃに向けて径が広くなる一対の拡径面１１ａを有している。貫通部１２は、一対の側面２ｃに向けて径が広くなる一対の拡径面１２ａを有している。拡径面１１ａは、脚部４の付け根を囲む湾曲面である。拡径面１２ａは、腕部５の付け根を囲む湾曲面である。
【００２９】
貫通部１１の端部の曲率半径（すなわち、拡径面１１ａの曲率半径）は、貫通部１１の周方向において変化している。貫通部１１の端部の曲率半径は、下面２ｅ側において上面２ｄ側よりも大きい。これにより、脚部４を下面２ｅ側に向け易い。貫通部１２の端部の曲率半径（すなわち、拡径面１２ａの曲率半径）は、貫通部１２の周方向において一定である。
【００３０】
図３は、図１に示されるワイヤー部材について説明するための一部破断図である。図３では、胴体部２及び頭部３が破線で示されている。図３に示されるように、ワイヤー部材８は、撚られた複数の芯材８ａと、複数の芯材８ａを被覆する被覆部材８ｂと、を含んでいる。複数の芯材８ａは、撚り線構造を有している。複数の芯材８ａは、ワイヤー部材８の軸方向周りに撚られて一纏まりとされている。芯材８ａは、例えば、鉄等の金属製のワイヤーからなる。複数の芯材８ａからなる撚り線の直径は、例えば、２．０ｍｍである。１本の芯材８ａの直径は、例えば、０．３５ｍｍである。被覆部材８ｂは、複数の芯材８ａをまとめて被覆している。被覆部材８ｂは、例えば、熱可塑性エラストマー（ＴＰＥ）等の樹脂からなる。被覆部材８ｂの厚さは、例えば、０．５ｍｍである。ワイヤー部材８の直径は、例えば、３ｍｍである。
【００３１】
ワイヤー部材８は、胴体部２内で屈曲された屈曲部８ｃを有している。屈曲部８ｃは、胴体部２の内部で軸周りに回転できない程度の大きさに形成されている。また、屈曲部８ｃは、貫通部１１（図１参照）の両端部を通過できない程度の大きさに形成されている。
【００３２】
磁石式人形玩具１は、屈曲部８ｃの形状を保持するための保持部材１３を備えている。保持部材１３は、板部１３ａと、４つの爪部１３ｂと、を有している。板部１３ａは、矩形状を呈し、長手方向が一対の側面２ｃ（図１参照）の対向方向と一致するように配置されている。４つの爪部１３ｂは、屈曲部８ｃの両端部に２つずつ配置されている。屈曲部８ｃの各端部に配置された２つの爪部１３ｂは、屈曲部８ｃの各端部にかしめられて固定されている。屈曲部８ｃの両端部に配置された２つの爪部１３ｂ同士は、板部１３ａにより互いに接続されている。保持部材１３によれば、一対の脚部４が互いに離れる方向（一対の側面２ｃの対向方向）に引張力を受けた場合でも、引張力が板部１３ａに加わり、屈曲部８ｃには加わらない。よって、屈曲部８ｃの形状が保持される。
【００３３】
ワイヤー部材９は、例えば、ワイヤー部材８と同様の構造を有している。すなわち、ワイヤー部材９は、撚られた複数の芯材９ａと、複数の芯材９ａを被覆する被覆部材９ｂと、を有している。複数の芯材９ａは、撚り線構造を有している。複数の芯材９ａは、ワイヤー部材９の軸方向周りに撚られて一纏まりとされている。芯材９ａは、例えば、鉄等の金属製のワイヤーからなる。複数の芯材９ａからなる撚り線の直径は、例えば、２．０ｍｍである。１本の芯材９ａの直径は、例えば、０．３５ｍｍである。被覆部材９ｂは、複数の芯材９ａをまとめて被覆している。被覆部材９ｂは、例えば、熱可塑性エラストマー（ＴＰＥ）等の樹脂からなる。被覆部材９ｂの厚さは、例えば、０．５ｍｍである。ワイヤー部材９の直径は、例えば、３ｍｍである。
【００３４】
ワイヤー部材９は、胴体部２内で屈曲された屈曲部９ｃを有している。屈曲部９ｃは、胴体部２の内部で軸周りに回転できない程度の大きさに形成されている。また、屈曲部９ｃは、貫通部１２（図１参照）の両端部を通過できない程度の大きさに形成されている。
【００３５】
磁石式人形玩具１は、屈曲部９ｃの形状を保持するための保持部材１４を備えている。保持部材１４は、板部１４ａと、４つの爪部１４ｂと、を有している。板部１４ａは、矩形状を呈し、長手方向が一対の側面２ｃ（図１参照）の対向方向と一致するように配置されている。４つの爪部１４ｂは、屈曲部９ｃの両端部に２つずつ配置されている。屈曲部９ｃの各端部に配置された２つの爪部１４ｂは、屈曲部９ｃの各端部にかしめられて固定されている。屈曲部９ｃの両端部に配置された２つの爪部１４ｂ同士は、板部１４ａにより互いに接続されている。保持部材１４によれば、一対の腕部５が互いに離れる方向（一対の側面２ｃの対向方向）に引張力を受けた場合でも、引張力が板部１４ａに加わり、屈曲部９ｃには加わらない。よって、屈曲部９ｃの形状が保持される。
【００３６】
ワイヤー部材８，９の被覆部材８ｂ，９ｂは、いずれも胴体部２、頭部３、一対の足部６、及び一対の手部７を覆っていない。すなわち、胴体部２、頭部３、一対の足部６、及び一対の手部７は、いずれも被覆部材８ｂ，９ｂから露出している。
【００３７】
図４は、足部の固定部材及び嵌合部について説明するための図である。図４（ａ）は、足部の固定部材及び嵌合部を示す正面図であり、図４（ｂ）は、図４（ａ）のIVb-IVb線に沿っての断面図である。図４（ａ）では、本体３１の外面及び嵌合部３６が破線で示されている。図１、図２及び図４に示されるように、一対の足部６は、一対の脚部４の先端部４ａに取り付けられている。
【００３８】
各足部６は、略直方体形状の外形を有している。各足部６は、その外面として、前面６ａと、後面６ｂと、一対の側面６ｃと、取付面６ｄと、対向面６ｅと、を有している。前面６ａ及び後面６ｂは、互いに対向している。一対の側面６ｃは、互いに対向している。取付面６ｄ及び対向面６ｅは、互いに対向している。足部６では、一方の側面６ｃ側が踵側、他方の側面６ｃ側がつま先側、取付面６ｄが足の甲側、対向面６ｅが足の裏側となっている。
【００３９】
図１及び図２では、足部６の前面６ａ及び後面６ｂは、胴体部２の前面２ａ及び後面２ｂとそれぞれ同じ方向を向いているが、上述のように、ワイヤー部材８は変形可能であるため、必ずしも同じ方向を向くとは限らない。取付面６ｄには、脚部４が取り付けられている。一対の側面６ｃは、前面６ａと後面６ｂとを接続すると共に、取付面６ｄと対向面６ｅとを接続している。前面６ａと後面６ｂとの間の間隔は、例えば、１０ｍｍである。一対の側面６ｃの間の間隔は、例えば、１９ｍｍである。取付面６ｄと対向面６ｅとの間隔は、例えば、１４ｍｍである。
【００４０】
足部６は、本体３１と、磁石３２と、固定部材３３とを有している。本体３１の外面は、足部６の外面を構成している。つまり、本体３１は、前面６ａと、後面６ｂと、一対の側面６ｃと、取付面６ｄと、対向面６ｅと、を本体３１の外面として有している。本体３１の外面は、足部６の外面を構成している。本体３１は、例えば、樹脂の射出成形により形成されている。本体３１は、剛体からなる。本体３１は、例えば、ＡＢＳ樹脂（アクリロニトリル−ブタジエン−スチレン共重合体）等の樹脂からなる。本体３１は、例えば、前部材２３及び後部材２４が互いに組み合わされて形成されている。前部材２３は、前面６ａの全体と、一対の側面６ｃの前半分と、取付面６ｄの前半分と、対向面６ｅの前半分と、を含んでいる。後部材２４は、後面６ｂの全体と、一対の側面６ｃの後半分と、取付面６ｄの後半分と、対向面６ｅの後半分と、を含んでいる。
【００４１】
前部材２３及び後部材２４は、ボルト１０によって結合されると共に、超音波溶着又は接着等によっても接合されて一体化されている。本実施形態では、前部材２３及び後部材２４は、１つのボルト１０によって結合されている。ボルト１０は、後部材２４側（後面６ｂ側）から挿通されている。ボルト１０の頭部は、後部材２４側（後面６ｂ側）に配置されている。
【００４２】
磁石３２は、例えば、ネオジウム磁石又はフェライト磁石である。磁石３２は、柱状を呈している。磁石３２は、例えば、四角柱状（すなわち、直方体状）を呈している。磁石３２の概略外形寸法は、例えば、８ｍｍ×３ｍｍ×３ｍｍである。磁石３２の磁化方向は、磁石３２の軸方向（すなわち、高さ方向）に直交している。つまり、磁石３２は、軸方向に直交する方向の一方側に配置されたＮ極部と、他方側に配置されたＳ極部とを有している。
【００４３】
固定部材３３は、脚部４の先端部４ａに固定されている。固定部材３３は、例えば、円筒状を呈している。脚部４の先端部４ａは、例えば、被覆部材８ｂが剥離された状態、つまり複数の芯材８ａの撚り線が被覆部材８ｂから露出した状態で固定部材３３の穴部に挿通され、はんだ３４によって固定部材３３に固定されている。
【００４４】
本体３１は、本体３１の内部空間として、収容部３５、嵌合部３６、及び挿入部３７を有している。収容部３５、嵌合部３６、及び挿入部３７は、前部材２３と後部材２４との間に形成されている。収容部３５は、磁石３２を磁石３２の軸周りに回転可能に収容している。ここで、回転可能とは、少なくとも半回転（１８０度回転）以上の回転ができることを意味する。収容部３５は、例えば、直方体状を呈している。収容部３５の概略内径寸法は、例えば、８．５ｍｍ×７ｍｍ×４．５ｍｍである。
【００４５】
収容部３５は、対向面６ｅ、前面６ａ及び後面６ｂの近傍に設けられている。磁石３２は、磁石３２の軸方向が対向面６ｅ、前面６ａ及び後面６ｂと略平行をなすように、対向面６ｅ、前面６ａ及び後面６ｂに沿って配置されている。これにより、対向面６ｅ、前面６ａ及び後面６ｂは、磁石式プレート玩具１００と磁気的に連結可能な連結領域を有している。収容部３５と対向面６ｅとの間隔は、例えば、収容部３５と前面６ａ及び後面６ｂとの間隔よりも小さい。これにより、対向面６ｅの連結領域は、前面６ａ及び後面６ｂの連結領域よりも連結力が強い。
【００４６】
嵌合部３６は、足部６の内部に設けられている。嵌合部３６には、固定部材３３が脚部４の軸方向周りに回転可能に嵌め込まれている。嵌合部３６は、固定部材３３の外面と完全に嵌合する形状に限らず、遊びを持って固定部材３３を保持する形状を有していてもよい。
【００４７】
嵌合部３６は、脚部４の軸方向（又は、取付面６ｄと対向面６ｅとの対向方向）から見て、収容部３５に対してずれて配置されている。これにより、磁石３２が固定部材３３と連結することが抑制される。嵌合部３６は、一方の側面６ｃ側に配置され、収容部３５は、他方の側面６ｃ側に配置されている。
【００４８】
挿入部３７は、取付面６ｄから嵌合部３６に至っている。挿入部３７は、取付面６ｄと対向面６ｅとの対向方向に延在している。挿入部３７には、脚部４の先端部４ａが挿入されている。挿入部３７は、例えば、断面円形状を呈している。挿入部３７は、固定部材３３が通過できない程度の大きさに形成されている。挿入部３７は、取付面６ｄに向けて径が広くなる拡径面３７ａを有している。
【００４９】
図５は、手部の固定部材及び嵌合部について説明するための図である。図５（ａ）は、手部の固定部材及び嵌合部を示す正面図であり、図５（ｂ）は、図５（ａ）のVb-Vb線に沿っての断面図である。図５（ａ）では、本体４１の外面及び嵌合部４６が破線で示されている。図１、図２及び図５に示されるように、一対の手部７は、一対の腕部５の先端部５ａに取り付けられている。
【００５０】
各手部７は、略直方体形状の外形を有している。各手部７は、その外面として、前面７ａと、後面７ｂと、一対の側面７ｃと、取付面７ｄと、対向面７ｅと、を有している。前面７ａ及び後面７ｂは、互いに対向している。一対の側面７ｃは、互いに対向している。取付面７ｄ及び対向面７ｅは、互いに対向している。手部７では、前面７ａが掌側、後面７ｂが手の甲側、一方の側面７ｃ側が親指側、他方の側面７ｃ側が小指側、取付面７ｄが手首側、対向面７ｅが指先側となっている。
【００５１】
図１及び図２では、手部７の前面７ａ及び後面７ｂは、胴体部２の前面２ａ及び後面２ｂとそれぞれ同じ方向を向いているが、上述のように、ワイヤー部材９は変形可能であるため、必ずしも同じ方向を向くとは限らない。取付面７ｄには、腕部５が取り付けられている。一対の側面７ｃは、前面７ａと後面７ｂとを接続すると共に、取付面７ｄと対向面７ｅとを接続している。前面７ａと後面７ｂとの間の間隔は、例えば、１０ｍｍである。一対の側面７ｃの間の間隔は、例えば、１９ｍｍである。取付面７ｄと対向面７ｅとの間隔は、例えば、１４ｍｍである。
【００５２】
手部７は、本体４１と、磁石４２と、固定部材４３とを有している。本体４１の外面は、手部７の外面を構成している。つまり、本体４１は、前面７ａと、後面７ｂと、一対の側面７ｃと、取付面７ｄと、対向面７ｅと、を本体４１の外面として有している。本体４１の外面は、手部７の外面を構成している。本体４１は、例えば、樹脂の射出成形により形成されている。本体４１は、剛体からなる。本体４１は、例えば、ＡＢＳ樹脂（アクリロニトリル−ブタジエン−スチレン共重合体）等の樹脂からなる。本体４１は、例えば、前部材２５及び後部材２６が互いに組み合わされて形成されている。前部材２５は、前面７ａの全体と、一対の側面７ｃの前半分と、取付面７ｄの前半分と、対向面７ｅの前半分と、を含んでいる。後部材２６は、後面７ｂの全体と、一対の側面７ｃの後半分と、取付面７ｄの後半分と、対向面７ｅの後半分と、を含んでいる。
【００５３】
前部材２５及び後部材２６は、ボルト１０によって結合されると共に、超音波溶着又は接着等によっても接合されて一体化されている。本実施形態では、前部材２５及び後部材２６は、１つのボルト１０によって結合されている。ボルト１０は、後部材２６側（後面７ｂ側）から挿通されている。ボルト１０の頭部は、後部材２６側（後面７ｂ側）に配置されている。
【００５４】
磁石４２は、例えば、磁石３２と同様の構成を有している。すなわち、磁石４２は、例えば、ネオジウム磁石又はフェライト磁石である。磁石４２は、柱状を呈している。磁石４２は、例えば、四角柱状（すなわち、直方体状）を呈している。磁石４２の概略外形寸法は、例えば、８ｍｍ×３ｍｍ×３ｍｍである。磁石４２の磁化方向は、磁石４２の軸方向（すなわち、高さ方向）に直交している。つまり、磁石４２は、軸方向に直交する方向の一方側に配置されたＮ極部と、他方側に配置されたＳ極部とを有している。
【００５５】
固定部材４３は、腕部５の先端部５ａに固定されている。固定部材４３は、例えば、円筒状を呈している。腕部５の先端部５ａは、例えば、被覆部材９ｂが剥離された状態、つまり複数の芯材９ａの撚り線が被覆部材９ｂから露出した状態で固定部材４３の穴部に挿通され、はんだ４４によって固定部材４３に固定されている。
【００５６】
本体４１は、本体４１の内部空間として、収容部４５、嵌合部４６、及び挿入部４７を有している。収容部４５、嵌合部４６、及び挿入部４７は、前部材２５と後部材２６との間に形成されている。収容部４５は、磁石４２を磁石４２の軸周りに回転可能に収容している。ここで、回転可能とは、少なくとも半回転（１８０度回転）以上の回転ができることを意味する。収容部４５は、例えば、直方体状を呈している。収容部４５の概略内径寸法は、例えば、８．５ｍｍ×７ｍｍ×４．５ｍｍである。
【００５７】
収容部４５は、対向面７ｅ、前面７ａ及び後面７ｂの近傍に設けられている。磁石４２は、磁石４２の軸方向が対向面７ｅ、前面７ａ及び後面７ｂと略平行をなすように、対向面７ｅ、前面７ａ及び後面７ｂに沿って配置されている。これにより、対向面７ｅ、前面７ａ及び後面７ｂは、磁石式プレート玩具１００と磁気的に連結可能な連結領域を有している。収容部４５と対向面７ｅ及び前面７ａとの間隔は、例えば、収容部４５と後面７ｂとの間隔とよりも小さい。これにより、対向面７ｅ及び前面７ａの連結領域は、後面７ｂの連結領域よりも連結力が強い。
【００５８】
嵌合部４６は、手部７の内部に設けられている。嵌合部４６には、固定部材４３が腕部５の軸方向周りに回転可能に嵌め込まれている。嵌合部４６は、固定部材４３の外面と完全に嵌合する形状に限らず、遊びを持って固定部材４３を保持する形状を有していてもよい。
【００５９】
嵌合部４６は、腕部５の軸方向（又は、取付面７ｄと対向面７ｅとの対向方向）から見て、収容部４５と重なって配置されている。嵌合部４６と収容部４５とは、嵌合部３６と収容部３５とが互いに離間する距離よりも互いに離間して配置されている。したがって、磁石４２が固定部材４３と連結することが抑制される。
【００６０】
挿入部４７は、手部７の内部において、取付面７ｄから嵌合部４６に至っている。挿入部４７は、取付面７ｄと対向面７ｅとの対向方向に延在している。挿入部４７には、腕部５の先端部５ａが挿入されている。挿入部４７は、例えば、断面円形状を呈している。挿入部４７は、固定部材４３が通過できない大きさに形成されている。挿入部４７は、手部７の外面である取付面７ｄに向けて径が広くなる拡径面４７ａを有している。
【００６１】
図６は、図１の磁石式人形玩具及び磁石式プレート玩具を示す正面図である。図６に示されるように、磁石式人形玩具１は、磁石式プレート玩具１００と共に用いられる。このため、磁石式人形玩具１の大きさは、磁石式プレート玩具１００の大きさに合わせて設定されている。磁石式人形玩具１の大きさは、例えば、正方形板状の磁石式プレート玩具１００を４つ連結させて作成した箱の中にちょうど入る大きさに設定されている。
【００６２】
磁石式プレート玩具１００でプレートの内部に配置された磁石は、磁石３２，４２と同様に、柱状を呈し、軸方向に直交する方向の一方側に配置されたＮ極部と、他方側に配置されたＳ極部とを有している。磁石式人形玩具１の重さは、例えば、磁石式人形玩具１を両方の手部７又は両方の足部６により磁石式プレート玩具１００に連結させたときに、落下しない重さに設定されている。
【００６３】
以上説明したように、磁石式人形玩具１では、足部６が磁石３２を有し、手部７が磁石４２を有している。このため、足部６及び手部７を磁石式プレート玩具１００に連結させることができる。また、脚部４は、変形可能なワイヤー部材８から構成され、腕部５は、変形可能なワイヤー部材９から構成されている。このため、脚部４及び腕部５の向きや角度を自由に変えることができるので、変化に富んだ遊び方ができる。
【００６４】
一対の脚部４及び一対の腕部５は胴体部２から延びている。このため、胴体部２を保持することにより、脚部４及び腕部５を容易に変形させることができるので、使い勝手がよい。加えて、胴体部２は剛体であるため、胴体部２の姿勢が変形せず、固定されているので、手足がより変形させ易い。特に、力の弱い子供でも脚部４及び腕部５を容易に変形させることができる。
【００６５】
一対の脚部４は、胴体部２を貫通する一本のワイヤー部材８により構成されている。このため、一対の脚部４を一対のワイヤー部材により構成し、一対のワイヤー部材をそれぞれ胴体部２に取り付ける場合に比べて、一対の脚部４を容易に設けることができる。また、一対の腕部５は、胴体部２を貫通する一本のワイヤー部材９により構成されている。このため、一対の腕部５を一対のワイヤー部材により構成し、一対のワイヤー部材をそれぞれ胴体部２に取り付ける場合に比べて、一対の腕部５を容易に設けることができる。
【００６６】
ワイヤー部材８は、胴体部２内で屈曲された屈曲部８ｃを有している。屈曲部８ｃは、胴体部２の内部で回転できない程度の大きさに形成されている。また、屈曲部８ｃは、貫通部１１の両端部を通過できない程度の大きさに形成されている。したがって、例えば、一方の脚部４を軸周りに回転させても、屈曲部８ｃが胴体部２内で引っ掛かり、回転できないので、他方の脚部４が連動して回転することが抑制される。また、例えば、一方の脚部４を軸方向に引っ張っても、屈曲部８ｃが貫通部１１の端部で引っ掛かり、貫通部１１の端部を通過できないので、一方の脚部４の長さが長くなったり、他方の脚部４の長さが短くなったりすることが抑制される。
【００６７】
ワイヤー部材９は、胴体部２内で屈曲された屈曲部９ｃを有している。屈曲部９ｃは、胴体部２の内部で回転できない程度の大きさに形成されている。また、屈曲部９ｃは、貫通部１２の両端部を通過できない程度の大きさに形成されている。したがって、例えば、一方の腕部５を軸周りに回転させても、屈曲部９ｃが胴体部２内で引っ掛かり、回転できないので、他方の腕部５が連動して回転することが抑制される。また、例えば、一方の腕部５を軸方向に引っ張っても、屈曲部９ｃが貫通部１２の端部で引っ掛かり、貫通部１２の端部を通過できないので、一方の腕部５の長さが長くなったり、他方の腕部５の長さが短くなったりすることが抑制される。
【００６８】
胴体部２には、ワイヤー部材８が貫通する貫通部１１と、ワイヤー部材９が貫通する貫通部１２と、が設けられている。貫通部１１，１２は、胴体部２の側面２ｃに向けて径が広くなる拡径面１１ａ，１２ａを有している。このため、ワイヤー部材８，９が貫通部１１，１２の両端部と接触して損傷を受けることが抑制される。
【００６９】
足部６は、脚部４の先端部４ａに固定された固定部材３３と、固定部材３３が脚部４の軸周りに回転可能に嵌め込まれた嵌合部３６と、を有している。足部６は、脚部４の先端部４ａが挿入された挿入部３７を有し、挿入部３７は、固定部材３３が通過できない程度の大きさに形成されている。このため、脚部４を引っ張っても、固定部材３３が挿入部３７に引っ掛かるので、脚部４が足部６から抜け難い。
【００７０】
手部７は、腕部５の先端部５ａに固定された固定部材４３と、固定部材４３が腕部５の軸周りに回転可能に嵌め込まれた嵌合部４６と、を有している。手部７は、腕部５の先端部５ａが挿入された挿入部４７を有し、挿入部４７は、固定部材４３が通過できない程度の大きさに形成されている。このため、腕部５を引っ張っても、固定部材４３が挿入部４７に引っ掛かるので、腕部５が手部７から抜け難い。
【００７１】
足部６の外面は、脚部４が取り付けられた取付面６ｄ及び対向面６ｅを有し、磁石３２は、対向面６ｅに沿って配置されている。このため、対向面６ｅに磁石式プレート玩具１００を連結させることができる。手部７の外面は、腕部５が取り付けられた取付面７ｄ及び対向面７ｅを有し、磁石４２は、対向面７ｅに沿って配置されている。このため、対向面７ｅに磁石式プレート玩具１００を連結させることができる。
【００７２】
ワイヤー部材８は、撚られた複数の芯材８ａを含んでいる。また、ワイヤー部材９は、撚られた複数の芯材９ａを含んでいるこのため、ワイヤー部材８，９の曲げ易さ及び耐久性を向上させることができる。
【００７３】
ワイヤー部材８は、複数の芯材８ａを被覆する被覆部材８ｂを含み、ワイヤー部材９は、複数の芯材９ａを被覆する被覆部材９ｂを含んでいる。胴体部２、足部６及び手部７は、被覆部材８ｂ，９ｂから露出している。このため、被覆部材８ｂ，９ｂが磁石式人形玩具１の全体を被覆している場合に比べて、脚部４及び腕部５を変形させたときの被覆部材８ｂ，９ｂに対する負荷が小さい。よって、被覆部材８ｂ，９ｂの損傷を抑制可能となる。また、脚部４及び腕部５を変形させたときの被覆部材８ｂ，９ｂが元に戻ろうとする力が弱まるので、脚部４及び腕部５を変形させた状態が保たれ易い。
【００７４】
脚部４の先端部４ａが挿入されている挿入部３７は、足部６の外面である取付面６ｄに向けて径が広くなる拡径面３７ａを有している。このため、脚部４を構成するワイヤー部材８が挿入部３７と接触して損傷を受けることが抑制される。
【００７５】
腕部５の先端部５ａが挿入されている挿入部４７は、手部７の外面である取付面７ｄに向けて径が広くなる拡径面４７ａを有している。このため、腕部５を構成するワイヤー部材９が挿入部４７と接触して損傷を受けることが抑制される。
【００７６】
以上、本開示の実施形態について説明したが、本発明は上記実施形態に限られるものではなく、各請求項に記載した要旨を変更しない範囲で変形し、又は他のものに適用したものであってもよい。
【００７７】
ワイヤー部材８，９は、例えば、接着又はボルトにより胴体部２に取り付けられてもよい。この場合、ワイヤー部材８は、屈曲部８ｃを有していなくても一対の脚部４が互いに連動して回転することが抑制できる。また、一方の脚部４を引っ張っても、一方の脚部４の長さが長くなったり、他方の脚部４の長さが短くなったりすることが抑制される。また、ワイヤー部材９は、屈曲部９ｃを有していなくても一対の腕部５が互いに連動して回転することが抑制できる。また、一方の腕部５を引っ張っても、一方の腕部５の長さが長くなったり、他方の腕部５の長さが短くなったりすることが抑制される。
【００７８】
足部６は、例えば、脚部４の先端部４ａに取り付けられていればよく、足部６は、固定部材３３及び嵌合部３６によらず、例えば、脚部４に接着又はボルトにより取り付けられていてもよい。この場合、足部６を脚部４の軸周りに回転不能に脚部４に取り付けることができる。
【００７９】
手部７は、例えば、腕部５の先端部５ａに取り付けられていればよく、手部７は、固定部材４３及び嵌合部４６によらず、例えば、腕部５に接着又はボルトにより取り付けられていてもよい。この場合、手部７を腕部５の軸周りに回転不能に腕部５に取り付けることができる。
【００８０】
挿入部３７は取付面６ｄの隆起部分に開口し、拡径面３７ａは当該隆起部分に向けて径が広くなるように設けられているが、挿入部３７は取付面６ｄの平面部分に開口し、拡径面３７ａは当該平面部分に向けて径が広くなるように設けられていてもよい。挿入部４７は、取付面７ｄの隆起部分に開口し、拡径面４７ａは当該隆起部分に向けて径が広くなるように設けられているが、挿入部４７は取付面７ｄの平面部分に開口し、拡径面４７ａは当該平面部分に向けて径が広くなるように設けられていてもよい。
【符号の説明】
【００８１】
１…磁石式人形玩具、２…胴体部、４…脚部、４ａ…先端部、５…腕部、５ａ…先端部、６…足部、６ｄ…取付面（第１取付面）、６ｅ…対向面（第１対向面）、７…手部、７ｄ…取付面（第２取付面）、７ｅ…対向面（第２対向面）、８…ワイヤー部材（第１ワイヤー部材）、８ａ…芯材（第１芯材）、８ｂ…被覆部材、８ｃ…屈曲部（第１屈曲部）、９…ワイヤー部材（第２ワイヤー部材）、９ａ…芯材（第２芯材）、９ｂ…被覆部材、９ｃ…屈曲部（第２屈曲部）、１１…貫通部（第１貫通部）、１１ａ…拡径面、１２…貫通部（第２貫通部）、１２ａ…拡径面、３２…磁石（第１磁石）、３３…固定部材、３５…収容部（第１収容部）、３６…嵌合部、３７…挿入部（第１挿入部）、３７ａ…拡径面、４２…磁石（第２磁石）、４３…固定部材、４５…収容部（第２収容部）、４６…嵌合部、４７…挿入部（第２挿入部）、４７ａ…拡径面、１００…磁石式プレート玩具。
【図１】
2020191942.tif 000003
【図２】
2020191942.tif 000004
【図３】
2020191942.tif 000005
【図４】
2020191942.tif 000006
【図５】
2020191942.tif 000007
【図６】
2020191942.tif 000008